(57)【要約】【課題】ＡＭ受信器のアンテナに重畳された雑音の未検出を防止し、かつ一つの雑音検出器によって第２混合器とＡＭ検波器を同時に一定時間停止させるといった冗長な動作を防止し、適切な検出および雑音除去を行うことによって耳障りな音質を改善できるＡＭ受信機を提供する。【解決手段】帯域制限がかからない第１混合器入力で未検出となった雑音を帯域通過フィルタによって帯域制限がかかる第２混合器出力で検出し中間周波増幅器を一定時間停止またはＡＭ検波器を一定時間保持させることによって雑音の未検出を防止し、第１雑音検出器が動作している間、第１雑音検出器からの停止信号によって第２雑音検出器を停止させる停止装置によって良好な音質を提供する。【選択図】図１
2005252933.tif 000002
【特許請求の範囲】
【請求項１】
ＲＦ信号から雑音を検出し、第１中間周波信号に含まれる雑音を除去する第１雑音検出器と
第２中間周波信号から前記雑音を検出し、前記第２中間周波信号に含まれる雑音を除去する第２雑音検出器と
前記第１雑音検出器が雑音を検出除去する期間、前記第２雑音検出器を停止させる停止装置を備えたことを特徴とするＡＭラジオ受信機。
【請求項２】
中間周波増幅器に雑音検出器からの出力信号に応じて中間周波信号に含まれる雑音を除去する手段を備えたことを特徴とする請求項１記載のＡＭラジオ受信機。
【請求項３】
ＲＦ信号から雑音を検出し、第１中間周波信号に含まれる雑音を除去する第１雑音検出器と
第２中間周波信号から前記雑音を検出し、音声信号に含まれる雑音を除去する第２雑音検出器と
前記第１雑音検出器が雑音を検出除去する期間、前記第２雑音検出器を停止させる停止装置を備えたことを特徴とするＡＭラジオ受信機。
【請求項４】
ＡＭ検波器に雑音検出器からの出力信号に応じて音声信号に含まれる雑音を除去する手段を備えたことを特徴とする請求項３記載のＡＭラジオ受信機。
【発明の詳細な説明】
【技術分野】
【０００１】
本発明はＡＭ受信機に混入する雑音を検出するＡＭラジオ受信機に関するものである。
【背景技術】
【０００２】
ＡＭラジオ受信機における(パルスノイズなどの)雑音は従来大きな問題となっている。
【０００３】
前記雑音は主に電気的、機械的外乱がアンテナに重畳されることによって発生し、包絡線検出を行うＡＭラジオ受信機においては重畳された外乱パルスが音声として検出されるために非常に耳障りな音質となる。
【０００４】
特に車載用ＡＭラジオにおいてはエンジンの点火栓から発生するイグニッションノイズやその他電装系の機械的な動作によって発生する外乱がアンテナに重畳されるため顕著に音声に影響する。
【０００５】
従来のＡＭラジオ受信機としては特許文献１に記載されているものがあった。以下、従来のＡＭ受信機に混入する雑音を検出するＡＭラジオ受信機を図１０にしたがって説明する。
【０００６】
このＡＭラジオ受信機はアンテナ１、ＲＦ増幅器２、第１混合器３、局部発振器４、第１帯域通過フィルタ５、第２混合器６、水晶発振器７、第２帯域通過フィルタ８、中間周波増幅器９、ＡＭ検波器１０、ＡＭ検波出力端子１１、雑音検出器１２とで構成される。
【０００７】
以上のように構成された従来のＡＭラジオ受信機の動作を説明する。
【０００８】
図１０においてアンテナ１で受信した放送局信号はＲＦ増幅器２で増幅され、第１混合器３で局部発振器４からの局部発振信号と混合されて第１中間周波信号に変換される。第１中間周波信号は第１帯域通過フィルタ５で帯域制限され、第２混合器６で水晶発振器７からの水晶発振信号と混合されて第２中間周波信号に変換される。第２中間周波信号は第２帯域通過フィルタ８で帯域制限され、中間周波増幅器９で増幅された後ＡＭ検波器１０でＡＭ復調されて出力される。
【０００９】
一方雑音検出器１２はアンテナに重畳された雑音を第１混合器３の入力で検出し一定時間のブランクパルスを発生させ、このブランクパルスが発生している期間第２混合器６およびＡＭ検波器１０を停止させる。第２混合器６およびＡＭ検波器１０が停止している期間は放送局信号に雑音が存在しないため耳障りな音質が改善される。
【特許文献１】特開平２−１９２２２９号公報
【発明の開示】
【発明が解決しようとする課題】
【００１０】
しかしながら図１０のように構成される従来のＡＭラジオ受信機では、一つの雑音検出器によって第２混合器とＡＭ検波器の両方を一定時間停止するため、第２混合器で雑音が取り除かれているにも関わらずＡＭ検波器を停止させるといった冗長な動作が発生し、良好な音質を復調できないという問題がある。
【００１１】
図８は一つの雑音検出器によって第２混合器とＡＭ検波器の両方を一定時間停止させた場合の放送局信号、第２混合器出力信号、第２帯域通過フィルタ出力信号およびＡＭ復調信号の関係を示したものである。
【００１２】
雑音検出器によって雑音が除去された期間は第２混合器出力信号には信号が出力されない期間が発生するが、第２帯域通過フィルタの濾波効果によって第２帯域通過フィルタ出力に波形変化が生じるため復調された音声信号は波形が緩和され音質劣化も緩和される。しかしながらＡＭ検波器も同時に停止させるとＡＭ復調信号出力に信号が出力されない期間が発生し、波形が歪むため音質が劣化する。
【００１３】
本発明は上記従来の問題を解決するもので、一つの雑音検出器によって第２混合器とＡＭ検波器を同時に一定時間停止させるといった冗長な動作を防止し、適切な雑音除去を行うことによって耳障りな音質を改善できるＡＭ受信機を提供することを目的とする。
【課題を解決するための手段】
【００１４】
前記従来の課題を解決するために本願の請求項１の発明は、ＲＦ信号から雑音を検出し、第１中間周波信号に含まれる雑音を除去する第１雑音検出器と第２中間周波信号から前記雑音を検出し、前記第２中間周波信号に含まれる雑音を除去する第２雑音検出器を備えたことを特徴としている。
【００１５】
また本願の請求項２の発明は中間周波増幅器に雑音検出器からの出力信号に応じて中間周波信号に含まれる雑音を除去する手段を備えたことを特徴としている。
【００１６】
また本願の請求項３の発明はＲＦ信号から雑音を検出し、第１中間周波信号に含まれる雑音を除去する第１雑音検出器と第２中間周波信号から前記雑音を検出し、音声信号に含まれる雑音を除去する第２雑音検出器と前記第１雑音検出器が雑音を検出除去する期間、前記第２雑音検出器を停止させる停止装置を備えたことを特徴としている。
【００１７】
また本願の請求項４の発明はＡＭ検波器に雑音検出器からの出力信号に応じて音声信号に含まれる雑音を除去する手段を備えたことを特徴としている。
【発明の効果】
【００１８】
このように本発明の実施の形態１におけるＡＭ受信機では第１雑音検出器が雑音を検出除去する期間第２雑音検出器を停止させること、および第２中間周波信号に含まれる雑音を検出し中間周波増幅器を一定時間停止させる雑音検出器によって雑音の未検出を防止し、適切な検出および雑音除去を行うことによって耳障りな音質を改善できるＡＭ受信機を構成する事ができる。
【００１９】
また本発明の実施の形態２におけるＡＭ受信機では第１雑音検出器が雑音を検出除去する期間第２雑音検出器を停止させること、および第２中間周波信号に含まれる雑音を検出しＡＭ検波器出力信号を一定時間保持させる雑音検出器によって雑音の未検出を防止し、適切な検出および雑音除去を行うことによって耳障りな音質を改善できるＡＭ受信機を構成する事ができる。
【発明を実施するための最良の形態】
【００２０】
（実施の形態１）
以下、本発明の実施の形態１におけるＡＭラジオ受信機について図を用いて説明する。
【００２１】
図１は本発明の実施の形態１におけるＡＭラジオ受信機の構成を示すブロック図であり、従来例と同一部分は同一符号を用いる。
【００２２】
図１においてこのＡＭラジオ受信機はアンテナ１、ＲＦ増幅器２、第１混合器３、局部発振器４、第１帯域通過フィルタ５、第２混合器６、水晶発振器７、第２帯域通過フィルタ８、スイッチ制御式中間周波増幅器１４、ＡＭ検波器１０、ＡＭ検波出力端子１１、第１雑音検出器１２、第２雑音検出器１３、停止装置１６とで構成される。
【００２３】
図３は第１雑音検出器１２の構成例を示しており、抵抗Ｒ１〜Ｒ４、容量Ｃ１、トランジスタＱ１〜Ｑ１６、定電圧源Ｖ１、定電流源Ｉ１〜Ｉ４とで構成される。
【００２４】
図４は第２雑音検出器１３の構成例を示しており、第１雑音検出器１２と同一部分は同一符号を用いる。図４において第２雑音検出器１３は抵抗Ｒ１〜Ｒ４、容量Ｃ１、トランジスタＱ１〜Ｑ１５、Ｑ１７、定電圧源Ｖ１、定電流源Ｉ１〜Ｉ４とで構成される。
【００２５】
図５は停止装置１６の構成例を示しており、抵抗Ｒ６〜Ｒ８、トランジスタＱ３０〜Ｑ３６、定電圧源Ｖ４、定電流源Ｉ７とで構成される。
【００２６】
図６はスイッチ制御式中間周波増幅器１４の構成例を示しており、抵抗Ｒ５、トランジスタＱ１８〜Ｑ２９、定電圧源Ｖ２〜Ｖ３、定電流源Ｉ５〜Ｉ６とで構成される。
【００２７】
以上のように構成された本発明のＡＭラジオ受信機の動作を説明する。
【００２８】
図１においてアンテナ１で受信した放送局信号はＲＦ増幅器２で増幅され、第１混合器３で局部発振器４からの局部発振信号と混合されて第１中間周波信号に変換される。第１中間周波信号は第１帯域通過フィルタ５で帯域制限され、第２混合器６で水晶発振器７からの水晶発振信号と混合されて第２中間周波信号に変換される。第２中間周波信号は第２帯域通過フィルタ８で帯域制限され、スイッチ制御式中間周波増幅器１４で増幅された後ＡＭ検波器１０でＡＭ復調されて出力される。
【００２９】
一方第１雑音検出器１２は雑音を第１混合器３の入力で検出し一定時間第２混合器６を停止させ、第２雑音検出器１３は雑音を第２混合器６の出力で検出し一定時間スイッチ制御式中間周波増幅器１４を停止させる。また停止装置１６は第１雑音検出器１２が雑音に対して動作する間、第２雑音検出器１３を停止させる。
【００３０】
図３において雑音検出端子に基準電圧Ｖ１より電位の高い雑音が入力されたとき、端子Ａの電位が雑音により瞬時に低下し、端子Ｂは容量Ｃ１と抵抗Ｒ１、Ｒ２、Ｒ４とで決定される時定数により放電され電位が下がるため、端子Ａと端子Ｂの電位差が逆転する期間が生じ、その間トランジスタＱ１５がＯＮ状態、Ｑ１６が電流供給可能な状態となり、Ｑ１５が接続された定電流源を遮断することによって次段の回路を停止させる。
【００３１】
図４においてＱ１５が接続された定電流源を遮断することによって次段の回路を停止させる動作は図３と同様であるが、Ｑ１７がＯＮ状態の場合のみＱ１、Ｑ２、Ｑ３、Ｉ１で構成された比較器が動作せず雑音を検出しない構成となっている。
【００３２】
通常雑音は第２帯域通過フィルタ８によって時間遅れが生じ、また雑音自身も伸長するため次段の回路を停止させる期間は音質に影響することのない十分に長い時間を必要とする。図９は第２雑音検出器１３における上記の関係を示したものである。
【００３３】
図５においてトランジスタＱ３０がＯＮ状態となることにより、Ｑ３６が電流供給可能な状態となり、第１雑音検出器からの停止信号をＱ３０が受けた場合のみ第２雑音検出器のＱ１７をＯＮ状態とし、第２雑音検出器を雑音検出不可能な状態にする。
【００３４】
図６において入力に印加された受信信号は(Ｒ５・Ｉ５)／Ｖｔ(≒２６ｍＶ)で決定される利得で増幅されバッファ回路を通して出力される。バッファ回路の電流源にはトランジスタスイッチが付加されており、トランジスタスイッチがＯＮ時のみ受信信号は出力されなくなる。
【００３５】
次に雑音がアンテナに重畳された状態における本発明のＡＭラジオ受信機の動作を説明する。
【００３６】
アンテナに重畳された雑音が第１雑音検出器１２によって第１混合器３の入力で検出された場合、第１雑音検出器１２が第２混合器６を停止させ、第１雑音検出器１２が雑音検出除去する間、停止装置１６によって第２雑音検出器１３が停止されるため、第１雑音検出器１２によってのみ雑音が除去される。
【００３７】
一方アンテナに重畳された雑音が妨害局信号の影響を受け第１雑音検出器１２によって第１混合器３の入力で検出されなかった場合、第２混合器６の出力に雑音が存在する。しかしながら第１帯域通過フィルタ５によって受信信号に帯域制限がかかるため妨害局信号が減衰され、第２雑音検出器１３は検出感度が低下することなく適切なパルス雑音検出を行うことが可能となり、雑音が発生したときのみスイッチ制御式中間周波増幅器が一定時間停止するため、雑音による耳障りな音声は音声信号出力端子に出力されなくなる。
【００３８】
本発明のＡＭラジオ受信機では上記特性を利用して第１雑音検出器が雑音を検出除去する期間第２雑音検出器を停止させること、および第２中間周波信号に含まれる雑音を検出し中間周波増幅器を一定時間停止させる雑音検出器によって雑音の未検出を防止し、適切な検出および雑音除去を行うことによって耳障りな音質を改善できるＡＭ受信機を実現できるものである。
【００３９】
（実施の形態２）
以下、本発明の実施の形態２におけるＡＭラジオ受信機について図を用いて説明する。
【００４０】
図２は本発明の実施の形態２におけるＡＭラジオ受信機の構成を示すブロック図であり、従来例と同一部分は同一符号を用いる。
【００４１】
図２においてこのＡＭラジオ受信機はアンテナ１、ＲＦ増幅器２、第１混合器３、局部発振器４、第１帯域通過フィルタ５、第２混合器６、水晶発振器７、第２帯域通過フィルタ８、中間周波増幅器９、スイッチ制御式ＡＭ検波器１５、ＡＭ検波出力端子１１、第１雑音検出器１２、第２雑音検出器１３、停止装置１６とで構成される。
【００４２】
図７はスイッチ制御式ＡＭ検波器１５の構成例を示しており、抵抗Ｒ９〜Ｒ１３、トランジスタＱ３７〜Ｑ４７、定電圧源Ｖ５、定電流源Ｉ８〜Ｉ１１とで構成される。
【００４３】
以上のように構成された本発明のＡＭラジオ受信機の動作を説明する。
【００４４】
図２においてアンテナ１で受信した放送局信号はＲＦ増幅器２で増幅され、第１混合器３で局部発振器４からの局部発振信号と混合されて第１中間周波信号に変換される。第１中間周波信号は第１帯域通過フィルタ５で帯域制限され、第２混合器６で水晶発振器７からの水晶発振信号と混合されて第２中間周波信号に変換される。第２中間周波信号は第２帯域通過フィルタ８で帯域制限され、中間周波増幅器９で増幅された後スイッチ制御式ＡＭ検波器１５でＡＭ復調されて出力される。
【００４５】
一方第１雑音検出器１２は雑音を第１混合器３の入力で検出し一定時間第２混合器６を停止させる。また第２雑音検出器１３は雑音を第２混合器６の出力で検出し一定時間スイッチ制御式ＡＭ検波器１５を停止させる。第１雑音検出器１２、第２雑音検出器１３および停止装置１６の動作は発明の実施の形態１と同様であるため省略する。
【００４６】
図７において雑音検出回路のトランジスタスイッチがＯＦＦ状態、かつ抵抗Ｒ１０＞Ｒ９、Ｒ１１＝Ｒ１２の関係にあり、端子Ｃの電位が端子Ｄの電位より高い状態に設定されている場合には、中間周波信号入力端子に印加された中間周波信号は容量Ｃ２によって包絡線検波されバッファ回路を通して音声信号出力端子に出力される。ここで雑音検出回路のトランジスタスイッチがＯＮ状態になるとバッファ回路が動作せず端子Ｅがハイインピーダンスとなるため容量Ｃ３によって保持された信号が音声信号出力端子に出力される。
【００４７】
次に雑音がアンテナに重畳された状態における本発明のＡＭラジオ受信機の動作を説明する。
【００４８】
アンテナに重畳された雑音が第１雑音検出器１２によって第１混合器３の入力で検出された場合、第１雑音検出器１２が第２混合器６を停止させ、第１雑音検出器１２が雑音検出除去する間、停止装置１６によって第２雑音検出器１３が停止されるため、第１雑音検出器１２によってのみ雑音が除去される。
【００４９】
一方アンテナに重畳された雑音が妨害局信号の影響を受け第１雑音検出器１２によって第１混合器３の入力で検出されなかった場合、第２混合器６の出力に雑音が存在する。しかしながら第１帯域通過フィルタ５によって受信信号に帯域制限がかかるため妨害局信号が減衰され、第２雑音検出器１３は検出感度が低下することなく適切なパルス雑音検出を行うことが可能となり、雑音が発生したときのみスイッチ制御式ＡＭ検波器が一定時間信号を保持するため、雑音による耳障りな音声は音声信号出力端子に出力されなくなる。
【００５０】
本発明のＡＭラジオ受信機では上記特性を利用して第１雑音検出器が雑音を検出除去する期間第２雑音検出器を停止させること、および第２中間周波信号に含まれる雑音を検出しＡＭ検波器出力信号を一定時間保持させる雑音検出器によって雑音の未検出を防止し、適切な検出および雑音除去を行うことによって耳障りな音質を改善できるＡＭ受信機を実現できるものである。
【産業上の利用可能性】
【００５１】
このように本発明の実施の形態１におけるＡＭ受信機では第１雑音検出器が雑音を検出除去する期間第２雑音検出器を停止させること、および第２中間周波信号に含まれる雑音を検出し中間周波増幅器を一定時間停止させる雑音検出器によって雑音の未検出を防止し、適切な検出および雑音除去を行うことによって耳障りな音質を改善できるＡＭ受信機を構成する事ができる。
【００５２】
また本発明の実施の形態２におけるＡＭ受信機では第１雑音検出器が雑音を検出除去する期間第２雑音検出器を停止させること、および第２中間周波信号に含まれる雑音を検出しＡＭ検波器出力信号を一定時間保持させる雑音検出器によって雑音の未検出を防止し、適切な検出および雑音除去を行うことによって耳障りな音質を改善できるＡＭ受信機を構成する事ができる。
【図面の簡単な説明】
【００５３】
【図１】本発明の実施の形態１におけるＡＭラジオ受信機の図
【図２】本発明の実施の形態２におけるＡＭラジオ受信機の図
【図３】本発明の実施の形態１および２における第１雑音検出器の構成例を示した図
【図４】本発明の実施の形態１および２における第２雑音検出器の構成例を示した図
【図５】本発明の実施の形態１および２における停止装置の構成例を示した図
【図６】本発明の実施の形態１におけるスイッチ制御式中間周波増幅器の構成例を示した図
【図７】本発明の実施の形態２におけるスイッチ制御式ＡＭ検波器の構成例を示した図
【図８】アンテナに重畳された雑音と放送局信号、第２混合器出力信号、第２帯域通過フィルタ出力信号およびＡＭ復調信号の関係を示した図
【図９】図３および図４に示した雑音検出器の端子Ａおよび端子Ｂの電位の関係を示した図
【図１０】従来のＡＭラジオ受信機の構成例を示した図
【符号の説明】
【００５４】
１  アンテナ
２  ＲＦ増幅器
３  第１混合器
４  局部発振器
５  第１帯域通過フィルタ
６  第２混合器
７  水晶発振器
８  第２帯域通過フィルタ
９  中間周波増幅器
１０  ＡＭ検波器
１１  ＡＭ検波出力端子
１２  第１雑音検出器
１３  第２雑音検出器
１４  スイッチ制御式中間周波増幅器
１５  スイッチ制御式ＡＭ検波器
１６  停止装置
【図１】
2005252933.tif 000003
【図２】
2005252933.tif 000004
【図３】
2005252933.tif 000005
【図４】
2005252933.tif 000006
【図５】
2005252933.tif 000007
【図６】
2005252933.tif 000008
【図７】
2005252933.tif 000009
【図８】
2005252933.tif 000010
【図９】
2005252933.tif 000011
【図１０】
2005252933.tif 000012